(57)【要約】【課題】コストを抑制し、陶器で形成される水洗大便器において製造誤差が生じた場合でも、施工者が容易に施工することができる水洗大便器を提供する。【解決手段】左右両側に便器固定穴４を有し床面５に固定される便器本体２と、便器固定穴４に挿入される固定ボルト部８ａと、この固定ボルト部８ａに連結し便器本体２を床面５へと押し付ける固定ストッパ部８ｂとを備える固定部材８と、を有する水洗大便器１において、固定ボルト部８ａの径と略同じ幅で直線状に延び固定ボルト部８ａが挿入される挿入穴６ａが形成された固定位置調整手段（中間部材６、座金７）を備え、固定位置調整手段（中間部材６、座金７）は、便器固定穴４に対して、便器固定穴４の中心軸（６ｅ、７ｅ）を中心に回転自在に便器固定穴４内に嵌合され設けられる。【選択図】図３
2013234453.tif 000002
【特許請求の範囲】
【請求項１】
左右両側に便器固定穴を有し床面に固定される便器本体と、
上記便器固定穴に挿入される固定ボルト部と、この固定ボルト部に連結し上記便器本体を上記床面へと押し付ける固定ストッパ部とを備える固定部材と、を有する水洗大便器において、
平面上で上記固定ボルト部の径と略同じ幅で直線状に延び上記固定ボルト部が挿入される挿入穴が形成された固定位置調整手段を備え、上記固定位置調整手段は、上記便器固定穴に対して、上記便器固定穴の中心軸を中心に回転自在に上記便器固定穴内に嵌合され設けられることを特徴とする水洗大便器。
【請求項２】
上記固定位置調整手段は、樹脂製の中間部材を有し、
上記中間部材は、上記便器固定穴径より大きな径で形成される上部と、この上部の下面から下方へと延設され上記便器固定穴内に回転自在に嵌合される下部とから構成される請求項１記載の水洗大便器。
【請求項３】
上記挿入穴は、平面視で、上記中間部材の中央に直線状に上記中間部材の外縁付近まで延び形成されている請求項２の水洗大便器。
【請求項４】
上記固定位置調整手段は、上記中間部材の挿入穴と略同形状で形成された挿入穴が形成され上記中間部材と一体となり上記便器固定穴の中心軸を中心に回転可能である金属製の座金を有し、
上記固定ストッパ部が上記座金を下方へと押し付けることにより上記便器本体を上記床面へと固定する請求項３に記載の水洗大便器。
【請求項５】
上記便器固定穴を上記便器本体の上方より覆い隠すカバー部材が上記中間部材の上部に着脱可能に設けられる請求項４記載の水洗大便器。
【発明の詳細な説明】
【技術分野】
【０００１】
本発明は、トイレ室の床面に固定される水洗大便器に関する。
【背景技術】
【０００２】
従来より、例えば、特許文献１に示されているように、水洗大便器をトイレ室の床面に固定する固定構造であって、便器本体に形成された固定穴に、固定ネジを上方から座金を介して貫通させて、床面の穴へねじ込むことにより、便器本体を床面に固定するようなものが知られている。このような固定構造においては、施工現場で、先ず、床面に型紙を敷いて、型紙に予め記載されている穴位置に従い床面にドリル等で穴をあける。その後、便器本体に形成された固定穴の位置と床面の穴の位置が一致するように、便器本体が床面に設置される。その後、固定ネジを上方から便器本体の固定穴に貫通させて床面の穴へねじ込み固定するような手順で行われている。
【先行技術文献】
【特許文献】
【０００３】
【特許文献１】実開昭６０−１５４４８１号公報
【発明の概要】
【発明が解決しようとする課題】
【０００４】
しかしながら、特許文献１に示された固定構造の水洗大便器においては、便器本体に形成された固定穴と床面の穴の穴径は、固定ネジの径と略同じ径となっているため、陶器で形成される便器本体に製造誤差が生じると、便器本体の固定穴と床面の穴とが一致せず、固定ネジをその両穴に貫通させて固定することができない。このような場合、施工者が床面から便器本体を取り外して、再度、床面に新たな穴をドリル等であけなければならないといった手間暇を要するといった問題があった。
その対策として、便器本体の固定穴を単純に大きくすることも考えられるが、この場合、固定状態において便器本体を床面に押しつける固定ネジの頭部を便器本体の固定穴の穴径より大きくしなければならず、市販の固定ネジを使用することができないため、コストアップとなるといった問題があった。
【０００５】
本発明は、従来技術の問題点を解決するためになされたものであり、コストを抑制し、陶器で形成される水洗大便器において製造誤差が生じた場合でも、施工者が容易に施工することができる水洗大便器を提供することを目的としている。
【課題を解決するための手段】
【０００６】
上記の目的を達成するために、本発明は、左右両側に便器固定穴を有し床面に固定される便器本体と、便器固定穴に挿入される固定ボルト部と、この固定ボルト部に連結し便器本体を床面へと押し付ける固定ストッパ部とを備える固定部材と、を有する水洗大便器において、平面上で固定ボルト部の径と略同じ幅で直線状に延び固定ボルト部が挿入される挿入穴が形成された固定位置調整手段を備え、固定位置調整手段は、便器固定穴に対して、便器固定穴の中心軸を中心に回転自在に便器固定穴内に嵌合され設けられることを特徴としている。
このように構成された本発明においては、平面上で固定ボルト部の径と略同じ幅で直線状に延びる挿入穴が形成された固定位置調整手段が、便器固定穴内に便器固定穴の中心軸を中心に回転自在に嵌合され設けられているので、便器本体が陶器で形成されて製造誤差が生じ、便器固定穴と床面固定穴の位置にズレが生じた場合であっても、固定位置調整手段を便器固定穴に対して回転させ挿入穴と床面固定穴の位置を調節することができる。よって、施工者が床面から便器本体を取り外して、再度、床面に新たな穴をドリル等であけるといった手間暇を要することがなく、陶器で形成される水洗大便器において製造誤差が生じた場合でも、施工者が容易に施工することができる。
また、固定部材の固定ストッパ部等の形状を変更しなければならないといったことが生じず、市販の固定部材を使用することが可能であるために、コストを抑制することができる。
【０００７】
本発明は、好ましくは、固定位置調整手段は、樹脂製の中間部材を有し、中間部材は、便器固定穴径より大きな径で形成される上部と、この上部の下面から下方へと延設され便器固定穴内に回転自在に嵌合される下部とから構成される。
このように構成された本発明においては、中間部材の下部を便器固定穴に対して回転させることで、簡単な構造にて、挿入穴と床面固定穴の位置を調節することができる。よって、施工者が床面から便器本体を取り外して、再度、床面に新たな穴をドリル等であけるといった手間暇を要することがなく、陶器で形成される水洗大便器において製造誤差が生じた場合でも、施工者が容易に施工することができる。
また、固定部材の固定ストッパ部等の形状を変更しなければならないといったことが生じず、市販の固定部材を使用することが可能であるために、コストを抑制することができる。
【０００８】
本発明は、好ましくは、更に、挿入穴は、平面視で、中間部材の中央に直線状に中間部材の外縁付近まで延び形成されている。
このように構成された本発明においては、便器本体が陶器で形成されて製造誤差が生じ、便器固定穴と床面固定穴の位置にズレが生じた場合であっても、中間部材を便器固定穴に対して回転させ挿入穴と床面固定穴の位置を調節することができる。この調節の際に、挿入穴は中間部材の中央に直線状に外縁付近まで延び形成されているので、位置ズレを吸収できる範囲をより広げることが可能となる。よって、施工者が床面から便器本体を取り外して、再度、床面に新たな穴をドリル等であけるといった手間暇を要することがなく、陶器で形成される水洗大便器において製造誤差が生じた場合でも、施工者が容易に施工することができる。
また、固定部材の固定ストッパ部等の形状を変更しなければならないといったことが生じず、市販の固定部材を使用することが可能であるために、コストを抑制することができる。
【０００９】
本発明において、好ましくは、固定位置調整手段は、中間部材の挿入穴と略同形状で形成された挿入穴が形成され中間部材と一体となり便器固定穴の中心軸を中心に回転可能である金属製の座金を有し、固定ストッパ部が座金を下方へと押し付けることにより便器本体を床面へと固定する。
このように構成された本発明においては、金属製の座金の挿入穴も中間部材の挿入穴と同じように固定ボルト部の径と略同じ幅で直線状に延びるように形成され、固定ストッパ部が直接樹脂製の中間部材を押し付けるのではなく、座金を下方へと押しつけているので中間部材の破壊等を防ぐことができ、かつ中間部材及び座金を便器固定穴に対して回転させ挿入穴と床面固定穴の位置を調節するだけで、陶器で形成される水洗大便器において製造誤差が生じた場合でも、施工者が容易に施工することができる。
また、固定部材の固定ストッパ部等の形状を変更しなければならないといったことが生じず、市販の固定部材を使用することが可能であるために、コストを抑制することができる。
【００１０】
本発明において、好ましくは、便器固定穴を便器本体の上方より覆い隠すカバー部材が中間部材の上部に着脱可能に設けられる。
このように構成された本発明においては、カバー部材で便器固定穴を便器本体の上方より覆い隠すために、水洗大便器の外観の見栄えを向上させることができる。
【発明の効果】
【００１１】
本発明の水洗大便器によれば、コストを抑制し、陶器で形成される水洗大便器において製造誤差が生じた場合でも、施工者が容易に施工することができる水洗大便器を提供することができる。
【図面の簡単な説明】
【００１２】
【図１】本発明の第１実施形態による水洗大便器を示す斜視図である。
【図２】本発明の第１実施形態による水洗大便器を示す上面図である。
【図３】本発明の第１実施形態による水洗大便器の固定部分の分解斜視図である。
【図４】（ａ）本発明の第１実施形態による便器固定穴と床固定穴にズレが生じていない状態での水洗大便器の固定部分の上面図である。（ｂ）図４（ａ）のＡ−Ａの断面図である。
【図５】（ａ）本発明の第１実施形態による便器固定穴と床固定穴にズレが生じた状態での水洗大便器の固定部分の上面図である。（ｂ）図５（ａ）のＢ−Ｂの断面図である。
【図６】本発明の第２実施形態による水洗大便器の固定部分の分解斜視図である。
【図７】（ａ）本発明の第２実施形態による便器固定穴と床固定穴にズレが生じていない状態での水洗大便器の固定部分の上面図である。（ｂ）図７（ａ）のＡ−Ａの断面図である。
【図８】（ａ）本発明の第２実施形態による便器固定穴と床固定穴にズレが生じた状態での水洗大便器の固定部分の上面図である。（ｂ）図８（ａ）のＢ−Ｂの断面図である。
【発明を実施するための形態】
【００１３】
以下、図面を参照して、本発明の第１実施形態による水洗大便器を説明する。
図１及び図２は、本発明の第１実施形態による水洗大便器１の全体構成を示し、図１は斜視図、図２は上面図である。なお、図２は便器本体２を上面から見た上面図を示すと共に、便器本体２の左右両側に形成される便器固定穴４の位置を破線で示している。
図１及び図２に示すように、水洗大便器１は、便器本体２と、便器本体２の左右両側の下端に水平方向に延びる鍔部３と、この鍔部３に形成された便器固定穴４とを有している。また、便器固定穴４には、詳細は後述する固定部材とその上方に着脱自在に固定されるカバー部材９とが嵌合している。
【００１４】
図３は、本発明の第１実施形態による水洗大便器１の固定部分の分解斜視図である。図３に示すように、便器本体２には便器固定穴４が上下方向に延び形成され、便器固定穴４の穴形状は円形状で形成されている。水洗大便器１の床面５への固定構造としては、便器固定穴４の形状に沿った形状で形成され便器固定穴４内に嵌合する中間部材６と、この中間部材６の上面に着脱可能に係合される座金７と、中間部材６と座金７とに形成された挿入穴６ａ、７ａを貫通し床面５へねじ込み固定される固定部材８と、この固定部材８を固定した後に固定部材８及び中間部材６の上方から取り付けられて、便器固定穴４を全て覆い隠すカバー部材９と、を備える。
【００１５】
中間部材６は、上部６ｆとこの上部６ｆの径より小さな径で形成される下部６ｇから構成されている。平面視で、中間部材６の上部６ｆの中央６ｂに直線状に中間部材の外縁６ｃ付近まで延びる挿入穴６ａが形成されている。挿入穴６ａは、固定部材８の固定ボルト部８ａの径と略同じ幅且つ固定部材８の固定ストッパ部８ｂより小さい幅で直線状に延びて形成されている。その挿入穴６ａには固定ボルト部８の固定ボルト部８ａが上方より挿入されるようになっている。また、中間部材６の下部６ｇには、平面視で、上部６ｆの挿入穴６ｇと重なる領域に切欠６ｈが形成されている。また、中間部材６の下部６ｇは便器固定穴４に挿入され、平面視で中間部材６の中心軸６ｅを中心として、時計回り及び反時計回りに便器固定穴４に対して回転することができるように回転自在に嵌合される。
【００１６】
座金７は、中間部材６の上部６ｆの上面形状と略同じ形状で形成され、中間部材６の上部６ｆの上面に係合される。座金７には、中間部材６の上部６ｆと同様に、平面視で、座金７の中央７ｂに直線状に座金の外縁７ｃ付近まで延びる挿入穴７ａが形成されている。挿入穴７ａは、固定部材８の固定ボルト部８ａの径と略同じ幅且つ固定部材８の固定ストッパ部８ｂより小さい幅で直線状に延びて形成されている。その挿入穴７ａには固定ボルト部８の固定ボルト部８ａが上方より挿入されるようになっている。また、座金７は、中間部材６と係合した状態で、中間部材６と共に、平面視で座金７の中心軸７ｅを中心として、時計回り及び反時計回りに便器固定穴４に対して回転することができるように回転自在になっている。座金７の挿入穴７ａと中間部材の上部６ｆの挿入穴６ａは略同じ形状で両者が重なるように形成されている。
【００１７】
固定部材８は、ネジ形状で形成され床面５の固定穴５ａと螺合する固定ボルト部８ａと、この固定ボルト部８ａの上方に連続して形成され工具等が嵌合される固定ストッパ部８ｂとで構成されている。固定ボルト部８ａは、中間部材の挿入穴６ａ及び座金７の挿入穴７ａの幅と略同じ外径で形成されている。固定ストッパ部８ｂの外郭は中間部材の挿入穴６ａ及び座金７の挿入穴７ａの幅よりも大きく形成されており、座金７及び中間部材６を上方から押し付けることができるようになっている。これにより、便器本体２が床面５に対して押しつけられ固定される。
【００１８】
カバー部材９は、中間部材６の上部６ｆと着脱可能に嵌合することができるように構成されている。カバー部材９は、固定部材８が座金７の挿入穴７ａと中間部材６の挿入穴６ａとを介して床面５に固定された後に、中間部材６の上方から取り付けることができるようになっており、水洗大便器１を使用する使用者が、上方から見た場合にカバー部材９が便器固定穴４の全体を覆い隠すことができるようになっており水洗大便器１の外観の意匠性を向上させている。
【００１９】
図４（ａ）は、本発明の第１実施形態による便器固定穴と床固定穴にズレが生じていない状態での水洗大便器の固定部分の上面図である。図４（ｂ）は、図４（ａ）のＡ−Ａの断面図である。
図４（ａ）及び（ｂ）に示すように、便器固定穴４と床固定穴５ａとの軸心が一致しており、陶器で形成された便器本体２に製造上で発生する寸法誤差が生じていない場合の固定状態である。
図４（ａ）及び（ｂ）にて、以下、この固定構造の詳細を説明する。
【００２０】
便器本体２は、床５に対して、便器固定穴４と床固定穴５ａの軸心が一致するように載置されている。便器固定穴４には、中間部材６の下部６ｇが回転自在に嵌合しており、中間部材６の上部６ｆの下面が便器本体２の上面と接する状態となっている。中間部材６には座金７が、その挿入穴７ａと中間部材６の挿入穴６ａとが一致するように係合されている。それらの挿入穴６ａ、７ａの中央には、上方より固定部材８の固定ボルト部８ａが挿入されており、床固定穴５ａに固定ボルト部８ａのネジ部分が螺合している。固定部材８の固定ストッパ部８ｂの下面が、座金７、中間部材６及び便器本体２を下方向に押しつけているために、便器本体２が床面５に対して強固に固定されている。中間部材の上部６ｆにはカバー部材９が嵌合されており、便器固定穴４、中間部材６、座金７及び固定部材８を覆い隠している。
【００２１】
図５（ａ）は、本発明の第１実施形態による便器固定穴と床固定穴にズレが生じた状態での水洗大便器の固定部分の上面図である。図５（ｂ）は、図５（ａ）のＢ−Ｂの断面図である。
図５（ａ）及び（ｂ）に示すように、便器固定穴４と床固定穴５ａとの軸心がズレており、陶器で形成された便器本体２に製造上で発生する寸法誤差が生じている場合の固定状態である。
図５（ａ）及び（ｂ）にて、以下、この固定構造の詳細を説明する。
【００２２】
便器本体２は、床５に対して、便器固定穴４と床固定穴５ａの軸心がズレた状態で載置されている。便器固定穴４には、中間部材６の下部６ｇが回転自在に嵌合しており、中間部材６の上部６ｆの下面が便器本体２の上面と接する状態となっている。中間部材６には座金７が、その挿入穴７ａと中間部材６の挿入穴６ａとが一致するように係合されている。それらの挿入穴６ａ、７ａの片隅には、上方より固定部材８の固定ボルト部８ａが挿入されており、床固定穴５ａに固定ボルト部８ａのネジ部分が螺合している。固定部材８の固定ストッパ部８ｂの下面が、座金７、中間部材６及び便器本体２を下方向に押しつけているために、便器本体２が床面５に対して強固に固定されている。中間部材の上部６ｆにはカバー部材９が嵌合されており、便器固定穴４、中間部材６、座金７及び固定部材８を覆い隠している。
【００２３】
このように、便器本体２に製造上で発生する寸法誤差により、便器固定穴４と床固定穴５ａの軸心がズレた状態では、固定部材８の軸心を床固定穴５ａの軸心に合わせるように、中間部材６及び座金７の挿入穴６ａ、７ａ内で移動させ固定することにより、その誤差を吸収することができるようになっている。また、中間部材６の下部６ｇが便器固定穴４に回転自在に嵌合しているために、中間部材６の中心軸６ｅを中心として、時計回り及び反時計回りに便器固定穴４に対して回転することができ、回転方向の誤差も吸収することができるようになっている。
【００２４】
つぎに、図６〜図８を参照して、本発明の第２実施形態による水洗大便器を説明する。
図６は本発明の第２実施形態による水洗大便器の固定部分の分解斜視図である。図７は（ａ）本発明の第２実施形態による便器固定穴と床固定穴にズレが生じていない状態での水洗大便器の固定部分の上面図、（ｂ）Ａ−Ａの断面図である。図８は（ａ）本発明の第２実施形態による便器固定穴と床固定穴にズレが生じた状態での水洗大便器の固定部分の上面図、（ｂ）Ｂ−Ｂの断面図である。
なお、図６〜８において、図１に示す本発明の第１実施形態による水洗大便器と同一部分については同一の符号を付し、これらの説明は省略する。
【００２５】
図６に示すように、便器本体２には便器固定穴４が上下方向に延び形成され、便器固定穴４の穴形状は円形状で形成されている。水洗大便器１の床面５への固定構造としては、下部６ｇが便器固定穴４の形状に沿った形状で形成され便器固定穴４内に嵌合する中間部材６と、この下部６ｇが挿入される取付穴７ｆが形成され中間部材６の下面に脱着可能に係合される座金７と、中間部材６と座金７とに形成された挿入穴６ａ、７ａを貫通し床面５へねじ込み固定される固定部材８と、この固定部材８を固定した後に固定部材８及び中間部材６の上方から取り付けられて、便器固定穴４を全て覆い隠すカバー部材９と、を備える。
【００２６】
中間部材６は、上部６ｆとこの上部６ｆの径より小さな径で形成される下部６ｇから構成されている。平面視で、中間部材６の上部６ｆの中央６ｂに直線状に中間部材の外縁６ｃ付近まで延びる挿入穴６ａが形成されている。挿入穴６ａは、固定部材８の固定ボルト部８ａの径と略同じ幅且つ固定部材８の固定ストッパ部８ｂより小さい幅で直線状に延びて形成されている。その挿入穴６ａには固定ボルト部８の固定ボルト部８ａが上方より挿入されるようになっている。また、中間部材６の下部６ｇには、平面視で、上部６ｆの挿入穴６ｇと重なる領域に切欠６ｈが形成されている。また、中間部材６の下部６ｇは便器固定穴４に挿入され、平面視で中間部材６の中心軸６ｅを中心として、時計回り及び反時計回りに便器固定穴４に対して回転することができるように回転自在に嵌合される。
【００２７】
第２実施形態による中間部材６の下部６ｇは、水平断面形状がＬ字形状の複数の突起部６ｉで形成されており、この突起部６ｉは座金７に複数形成された取付穴７ｆと嵌合することができるように構成されている。複数の突起部６ｉは、中間部材６の上部６ｆの中央６ｂを挟み左右両側に３つずつ、計６つ形成されており、それぞれが独立して中間部材６の上部６ｆの下面から鉛直下方へと延びて形成されている。平面視で、この複数のＬ字形状の突起部６ｉの最も外側の点を結ぶと、便器固定穴４の形状に沿った円形状となり、中間部材６の下部６ｇである突起部６ｉを便器固定穴４内に嵌合することが可能となっている。突起６ｉがＬ字形状で形成されることにより、個々の突起部６ｉの強度が向上されている。
【００２８】
座金７は、中間部材６の上部６ｆの上面形状と略同じ形状で形成され、中間部材６の上部６ｆの下面に係合される。座金７には、中間部材６の上部６ｆと同様に、平面視で、座金７の中央７ｂに直線状に座金の外縁７ｃ付近まで延びる挿入穴７ａが形成されている。挿入穴７ａは、固定部材８の固定ボルト部８ａの径と略同じ幅且つ固定部材８の固定ストッパ部８ｂより小さい幅で直線状に延びて形成されている。その挿入穴７ａには固定ボルト部８の固定ボルト部８ａが上方より挿入されるようになっている。また、座金７は、中間部材６と係合した状態で、中間部材６と共に、平面視で座金７の中心軸７ｅを中心として、時計回り及び反時計回りに便器固定穴４に対して回転することができるように回転自在になっている。座金７の挿入穴７ａと中間部材の上部６ｆの挿入穴６ａは略同じ形状で両者が重なるように形成されている。
【００２９】
第２実施形態による座金７の挿入穴７ａの周縁には上方に突出する凸部７ｇが形成されており、座金７は、中間部材６と係合した状態で、その凸部７ｇが中間部材６の挿入穴を上方へと貫通するように構成されている。その状態で、固定部材８が上方より座金７の挿入穴７ａに挿入されて締め付けられると、固定部材８の固定ストッパ部８ｂが徐々に下降して、座金７の凸部７ｇの上面と接することにより止まるように構成されている。
【００３０】
座金７の中央７ｂを挟み左右両側には、左右対称に３つずつ、計６つの取付穴７ｆが形成されており、中間部材６の複数の突起部６ｉが嵌合するように構成されている。このように、取付穴７ｆを単純に一つの穴とするのではなく、複数の穴に分散させることにより、座金７の強度を維持させている。
【００３１】
固定部材８は、ネジ形状で形成され床面５の固定穴５ａと螺合する固定ボルト部８ａと、この固定ボルト部８ａの上方に連続して形成され工具等が嵌合される固定ストッパ部８ｂとで構成されている。固定ボルト部８ａは、中間部材の挿入穴６ａ及び座金７の挿入穴７ａの幅と略同じ外径で形成されている。固定ストッパ部８ｂの外郭は中間部材の挿入穴６ａ及び座金７の挿入穴７ａの幅よりも大きく形成されており、座金７及び中間部材６を上方から押し付けることができるようになっている。これにより、便器本体２が床面５に対して押しつけられ固定される。
【００３２】
カバー部材９は、中間部材６の上部６ｆと着脱可能に嵌合することができるように構成されている。カバー部材９は、固定部材８が座金７の挿入穴７ａと中間部材６の挿入穴６ａとを介して床面５に固定された後に、中間部材６の上方から取り付けることができるようになっており、水洗大便器１を使用する使用者が、上方から見た場合にカバー部材９が便器固定穴４の全体を覆い隠すことができるようになっており水洗大便器１の外観の意匠性を向上させている。
【００３３】
図７（ａ）は、本発明の第２実施形態による便器固定穴と床固定穴にズレが生じていない状態での水洗大便器の固定部分の上面図である。図７（ｂ）は、図７（ａ）のＡ−Ａの断面図である。
図７（ａ）及び（ｂ）に示すように、便器固定穴４と床固定穴５ａとの軸心が一致しており、陶器で形成された便器本体２に製造上で発生する寸法誤差が生じていない場合の固定状態である。
図７（ａ）及び（ｂ）にて、以下、この固定構造の詳細を説明する。
【００３４】
便器本体２は、床５に対して、便器固定穴４と床固定穴５ａの軸心が一致するように載置されている。便器固定穴４には、中間部材６の下部６ｇ（複数の突起部６ｉ）が回転自在に嵌合しており、中間部材６の上部６ｆの下面には座金７が、その挿入穴７ａと中間部材６の挿入穴６ａとが一致するよう、座金７の凸部７ｇが中間部材の挿入穴６ａに挿入された状態で係合されている。それらの挿入穴６ａ、７ａの中央には、上方より固定部材８の固定ボルト部８ａが挿入されており、床固定穴５ａに固定ボルト部８ａのネジ部分が螺合している。固定部材８の固定ストッパ部８ｂの下面が、座金７の凸部７ｇの上面を下方向に押しつけているために、便器本体２が床面５に対して強固に固定されている。この際に中間部材６と固定ストッパ部８ｂとが直接接触しないために、中間部材６を金属以外の樹脂等で形成したとしても、中間部材６にひびや割れが生じることがない。中間部材の上部６ｆにはカバー部材９が嵌合されており、便器固定穴４、中間部材６、座金７及び固定部材８を覆い隠している。
【００３５】
図８（ａ）は、本発明の第２実施形態による便器固定穴と床固定穴にズレが生じた状態での水洗大便器の固定部分の上面図である。図８（ｂ）は、図８（ａ）のＢ−Ｂの断面図である。
図８（ａ）及び（ｂ）に示すように、便器固定穴４と床固定穴５ａとの軸心がズレており、陶器で形成された便器本体２に製造上で発生する寸法誤差が生じている場合の固定状態である。
図８（ａ）及び（ｂ）にて、以下、この固定構造の詳細を説明する。
【００３６】
便器本体２は、床５に対して、便器固定穴４と床固定穴５ａの軸心がズレた状態で載置されている。便器固定穴４には、中間部材６の下部６ｇ（複数の突起部６ｉ）が回転自在に嵌合しており、中間部材６の上部６ｆの下面には座金７が、その挿入穴７ａと中間部材６の挿入穴６ａとが一致するよう、座金７の凸部７ｇが中間部材の挿入穴６ａに挿入された状態で係合されている。それらの挿入穴６ａ、７ａの片隅には、上方より固定部材８の固定ボルト部８ａが挿入されており、床固定穴５ａに固定ボルト部８ａのネジ部分が螺合している。固定部材８の固定ストッパ部８ｂの下面が座金７の凸部７ｇの上面を下方向に押しつけているために、便器本体２が床面５に対して強固に固定されている。中間部材の上部６ｆにはカバー部材９が嵌合されており、便器固定穴４、中間部材６、座金７及び固定部材８を覆い隠している。
【００３７】
このように、便器本体２に製造上で発生する寸法誤差により、便器固定穴４と床固定穴５ａの軸心がズレた状態では、固定部材８の軸心を床固定穴５ａの軸心に合わせるように、中間部材６及び座金７の挿入穴６ａ、７ａ内で移動させ固定することにより、その誤差を吸収することができるようになっている。また、中間部材６の下部６ｇ（複数の突起部６ｉ）が便器固定穴４に回転自在に嵌合しているために、中間部材６の中心軸６ｅを中心として、時計回り及び反時計回りに便器固定穴４に対して回転することができ、回転方向の誤差も吸収することができるようになっている。
【００３８】
上述した実施形態では、左右両側に便器固定穴４を有し床面５に固定される便器本体２と、便器固定穴４に挿入される固定ボルト部８ａと、この固定ボルト部８ａに連結し便器本体２を床面５へと押し付ける固定ストッパ部８ｂとを備える固定部材８と、を有する水洗大便器１において、平面上で固定ボルト部８ａの径と略同じ幅で直線状に延び固定ボルト部８ａが挿入される挿入穴６ａが形成された固定位置調整手段（中間部材６、座金７）を備え、固定位置調整手段（中間部材６、座金７）は、便器固定穴４に対して、便器固定穴４の中心軸（６ｅ、７ｅ）を中心に回転自在に便器固定穴４内に嵌合され設けられる。
【００３９】
このように構成された実施形態においては、固定ボルト部８ａの径と略同じ幅で直線状に延びる挿入穴６ａが形成された固定位置調整手段（中間部材６、座金７）が、便器固定穴４内に便器固定穴４の中心軸（６ｅ、７ｅ）を中心に回転自在に嵌合され設けられているので、便器本体２が陶器で形成されて製造誤差が生じ、便器固定穴４と床面固定穴５ａの位置にズレが生じた場合であっても、固定位置調整手段（中間部材６、座金７）を便器固定穴４に対して回転させ挿入穴６ａと床面固定穴５ａの位置を調節することができる。よって、施工者が床面から便器本体２を取り外して、再度、床面５に新たな穴をドリル等であけるといった手間暇を要することがなく、陶器で形成される水洗大便器１において製造誤差が生じた場合でも、施工者が容易に施工することができる。
また、固定部材８の固定ストッパ部８ａ等の形状を変更しなければならないといったことが生じず、市販の固定部材８を使用することが可能であるために、コストを抑制することができる。
【００４０】
上述した実施形態では、好ましくは、固定位置調整手段（中間部材６、座金７）は樹脂製の中間部材６を有し、中間部材６は、挿入穴６ａを有し便器固定穴４の径より大きな径で形成される上部６ｆと、この上部６ｆの下面から下方へと延設され便器固定穴内に回転自在に嵌合される下部６ｇとから構成される。
このように構成された実施形態においては、簡単な構造にて、中間部材６の下部６ｇを便器固定穴４に対して回転させることで、挿入穴６ａと床面固定穴５ａの位置を調節することができる。よって、施工者が床面５から便器本体２を取り外して、再度、床面５に新たな穴をドリル等であけるといった手間暇を要することがなく、陶器で形成される水洗大便器１において製造誤差が生じた場合でも、施工者が容易に施工することができる。
また、固定部材８の固定ストッパ部８ｂ等の形状を変更しなければならないといったことが生じず、市販の固定部材８を使用することが可能であるために、コストを抑制することができる。
【００４１】
上述した実施形態では、好ましくは、更に、挿入穴６ａは、平面視で、中間部材６の中央６ｂに直線状に中間部材６の外縁６ｃ付近まで延び形成されている。
このように構成された実施形態においては、便器本体２が陶器で形成されて製造誤差が生じ、便器固定穴４と床面固定穴５の位置にズレが生じた場合であっても、中間部材６を便器固定穴４に対して回転させ挿入穴６ａと床面固定穴５ａの位置を調節することができる。この調節の際に、挿入穴６ａは中間部材６の中央６ｂに直線状に外縁６ｃ付近まで延び形成されているので、位置ズレを吸収できる範囲をより広げることが可能となる。よって、施工者が床面５から便器本体２を取り外して、再度、床面５に新たな穴をドリル等であけるといった手間暇を要することがなく、陶器で形成される水洗大便器１において製造誤差が生じた場合でも、施工者が容易に施工することができる。
また、固定部材８の固定ストッパ部８ｂ等の形状を変更しなければならないといったことが生じず、市販の固定部材８を使用することが可能であるために、コストを抑制することができる。
【００４２】
上述した実施形態では、好ましくは、固定位置調整手段（中間部材６、座金７）は、中間部材６の挿入穴６ａと略同形状で形成された挿入穴７ａを有し、中間部材６と一体となり便器固定穴４の中心軸（６ｅ、７ｅ）を中心に回転可能である金属製の座金７を有し、固定ストッパ部８ｂが座金７を下方へと押し付けることにより便器本体２を床面５へと固定する。
このように構成された実施形態においては、金属製の座金７の挿入穴７ａも中間部材６の挿入穴６ａと同じように固定ボルト部８ａの径と略同じ幅で直線状に延びるように形成され、固定ストッパ部８ｂが直接樹脂製の中間部材６を押し付けるのではなく、座金７を下方へと押しつけているので中間部材６の破壊等を防ぐことができ、かつ中間部材６及び座金７を便器固定穴４に対して回転させ挿入穴（６ａ、７ａ）と床面固定穴５ａの位置を調節するだけで、陶器で形成される水洗大便器１において製造誤差が生じた場合でも、施工者が容易に施工することができる。
また、固定部材８の固定ストッパ部８ｂ等の形状を変更しなければならないといったことが生じず、市販の固定部材８を使用することが可能であるために、コストを抑制することができる。
【００４３】
上述した実施形態では、好ましくは、便器固定穴４を便器本体２の上方より全て覆い隠すカバー部材９が中間部材６の上部６ｆに着脱可能に設けられる。
このように構成された本発明においては、カバー部材９で便器固定穴４を便器本体２の上方より全て覆い隠すために、水洗大便器２の外観の見栄えを向上させることができる。
【００４４】
上述した実施形態では、固定位置調整手段を中間部材６と座金７とで構成した場合を記載したが、中間部材６又は座金７のどちらか一方のみで構成しても良い。
【符号の説明】
【００４５】
１      水洗大便器
２      便器本体
４      便器固定穴
５      床面
６      中間部材
６ａ    中間部材の挿入穴
７      座金
８      固定部材
８ａ    固定部材の固定ボルト部
８ｂ    固定部材の固定ストッパ部
９      カバー部材
【図１】
2013234453.tif 000003
【図２】
2013234453.tif 000004
【図３】
2013234453.tif 000005
【図４】
2013234453.tif 000006
【図５】
2013234453.tif 000007
【図６】
2013234453.tif 000008
【図７】
2013234453.tif 000009
【図８】
2013234453.tif 000010